【事件の表示】
　特許第３２７９５８３号「ビデオカメラ」の請求項１ないし３に係る特許に対する特許異議の申立てについて、次のとおり決定する。
【結　論】
　訂正を認める。
　特許第３２７９５８３号の請求項１ないし３に係る特許を取り消す。
【理　由】
１． 手続の経緯
　特許第３２７９５８３号の請求項１ないし３に係る発明は、平成３年３月２９日に特許出願され、平成１４年２月２２日にその特許権の設定登録がなされ、その後、金子和弘、有限会社オフィスアテナ（代表者　高木四郎）および佐藤光男より特許異議の申立てがなされ、取消しの理由が通知され、その指定期間内である平成１５年３月２４日に訂正請求がなされたものである。
　
２． 訂正の適否についての判断
（１） 訂正の内容
　本件訂正は、以下のとおりである。
ア．訂正事項ａ
　特許請求の範囲の請求項１を以下のごとく訂正する。
「【請求項１】　レンズと、
　該レンズにより結像された光学像を電気信号に変換する撮像素子と、
　該撮像素子から出力されたアナログ信号をデジタル信号に変換する９ビット以上の量子化分解能のＡ／Ｄ変換器と、
　該デジタル信号に処理を加えてデジタルカメラ信号を生成するプロセス回路と、　該デジタル信号からその高周波成分を検出し、検出された該高周波成分を検波して焦点の合い具合に対応する焦点信号を生成する焦点信号生成回路とを備え、
　前記プロセス回路と前記焦点信号生成回路に入力される前記デジタル信号は、前記撮像素子の後段に共通に設けられた前記Ａ／Ｄ変換器から供給され、
　前記プロセス回路と前記焦点信号生成回路は一体化したデジタルＩＣで構成されることを特徴とするビデオカメラ。」
イ．訂正事項ｂ
　特許請求の範囲の請求項２を以下のごとく訂正する。
「【請求項２】　レンズと、
　該レンズにより結像された光学像を電気信号に変換する撮像素子と、
　該撮像素子から出力されたアナログ信号をデジタル信号に変換する９ビット以上の量子化分解能のＡ／Ｄ変換器と、
　該デジタル信号に処理を加えてデジタルカメラ信号を生成するプロセス回路と、
　焦点の合い具合に対応し、該レンズの移動に伴う増加減少が判定される焦点信号であって、該増加減少の判定結果に基づき該レンズを移動するための制御信号を発生するための該焦点信号を、該デジタル信号からその高周波成分を検出し、検出された該高周波成分を検波して生成する焦点信号生成回路とを備え、
　前記プロセス回路と前記焦点信号生成回路に入力される前記デジタル信号は、前記撮像素子の後段に共通に設けられた前記Ａ／Ｄ変換器から供給され、
　前記プロセス回路と前記焦点信号生成回路は一体化したデジタルＩＣで構成され、前記デジタルＩＣは、前記Ａ／Ｄ変換器も一体化したデジタルＩＣであることを特徴とするビデオカメラ。」
　
（２） 訂正の目的の適否、新規事項の有無及び拡張・変更の存否
　上記訂正事項ａは、請求項１に「９ビット以上の量子化分解能の」を加入して、「Ａ／Ｄ変換器」を限定するものであり、この点は明細書段落【０００５】に記載されており、「その高周波成分を検出し、検出された該高周波成分を検波して」を加入するものであり、この点は、明細書段落【０００６】に記載されており、「焦点信号生成回路」を限定するものであるから、特許請求の範囲の減縮を目的とした明細書の訂正に該当する。
　また、上記訂正事項ｂについては、従属項から独立項への変更に付随するものであり明りょうでない記載の釈明を目的とするとともに、請求項１の記載「該デジタル信号からその高周波成分を検出し、検出された該高周波成分を検波して焦点の合い具合に対応する焦点信号を生成する焦点信号生成回路」を「焦点の合い具合に対応し、該レンズの移動に伴う増加減少が判定される焦点信号であって、該増加減少の判定結果に基づき該レンズを移動するための制御信号を発生するための該焦点信号を、該デジタル信号からその高周波成分を検出し、検出された該高周波成分を検波して生成する焦点信号生成回路」とするものであり、この点は、明細書段落【０００６】に記載されており、「焦点信号生成回路」を限定するものであるから、特許請求の範囲の減縮を目的とした明細書の訂正に該当する。
　そして、いずれの訂正も、新規事項の追加に該当せず、実質的に特許請求の範囲を拡張又は変更するものではない。
（３） むすび
　したがって、上記訂正は、特許法第１２０条の４第３項で準用する平成６年法律第１１６号による改正前の特許法第１２６条第１項ただし書、第２項及び第３項の規定に適合するので、当該訂正を認める。
　
３． 特許異議申立てについての判断
（１） 申立ての理由の概要
　申立人金子和弘は、請求項１ないし３（全請求項）に係る発明は、甲第１号証（特願平３−３２９０２号（特開平４−２７１６７４号公報））と同一であるから、特許法第２９条の２の規定により、甲第２号証（特開平２−１４９０７３号公報）、甲第３号証（特開平１−１３７８８６号公報）、甲第４号証（特開平１−２２０９３５号公報）、甲第５号証（ＮＨＫ放送技術研究所編「ハイビジョン技術」第２刷）、甲第６号証（特開昭６４−８２５５６号公報）をもとに容易に発明をすることができたものであり、特許法第２９条第２項の規定により特許を受けることができないものであるから、特許を取り消すべきと主張している。
　また、申立人有限会社オフィスアテナ（代表者　高木四郎）は、請求項１ないし３（全請求項）に係る発明は、甲第１号証（特開昭６２−１４６０８１号公報）、甲第２号証（特開昭６２−２０２６７４号公報）、甲第３号証（特開平１−２５３３８３号公報）、甲第４号証（特開昭６３−３０５６８３号公報）、甲第５号証（特開平２−１９９９６７号公報）、参考資料１（特開昭６３−１５１２７３号公報）、参考資料２（特開昭６０−１７８４１８号公報）をもとに容易に発明をすることができたものであり、特許法第２９条第２項の規定により特許を受けることができないものであるから、特許を取り消すべきと主張している。
　また、申立人佐藤光男は、請求項１ないし３（全請求項）に係る発明は、甲第１号証（特開平１−２３６７７９号公報）、甲第２号証（特開昭６４−４６３７４号公報）、甲第３号証（特開平２−１７６７３５号公報）をもとに容易に発明をすることができたものであり、特許法第２９条第２項の規定により特許を受けることができないものであるから、特許を取り消すべきと主張している。
　
（２） 本件の請求項１ないし３に係る発明
　上記２．で示したように上記訂正が認められるから、本件の請求項１ないし３に係る発明（以下、「本件発明１ないし３」という）は、上記訂正請求に係る訂正明細書の特許請求の範囲の請求項１ないし３に記載された事項により特定される次のとおりのものである。
「【請求項１】　レンズと、
　該レンズにより結像された光学像を電気信号に変換する撮像素子と、
　該撮像素子から出力されたアナログ信号をデジタル信号に変換する９ビット以上の量子化分解能のＡ／Ｄ変換器と、
　該デジタル信号に処理を加えてデジタルカメラ信号を生成するプロセス回路と、　該デジタル信号からその高周波成分を検出し、検出された該高周波成分を検波して焦点の合い具合に対応する焦点信号を生成する焦点信号生成回路とを備え、
　前記プロセス回路と前記焦点信号生成回路に入力される前記デジタル信号は、前記撮像素子の後段に共通に設けられた前記Ａ／Ｄ変換器から供給され、
　前記プロセス回路と前記焦点信号生成回路は一体化したデジタルＩＣで構成されることを特徴とするビデオカメラ。
【請求項２】　レンズと、
　該レンズにより結像された光学像を電気信号に変換する撮像素子と、
　該撮像素子から出力されたアナログ信号をデジタル信号に変換する９ビット以上の量子化分解能のＡ／Ｄ変換器と、
　該デジタル信号に処理を加えてデジタルカメラ信号を生成するプロセス回路と、
　焦点の合い具合に対応し、該レンズの移動に伴う増加減少が判定される焦点信号であって、該増加減少の判定結果に基づき該レンズを移動するための制御信号を発生するための該焦点信号を、該デジタル信号からその高周波成分を検出し、検出された該高周波成分を検波して生成する焦点信号生成回路とを備え、
　前記プロセス回路と前記焦点信号生成回路に入力される前記デジタル信号は、前記撮像素子の後段に共通に設けられた前記Ａ／Ｄ変換器から供給され、
　前記プロセス回路と前記焦点信号生成回路は一体化したデジタルＩＣで構成され、前記デジタルＩＣは、前記Ａ／Ｄ変換器も一体化したデジタルＩＣであることを特徴とするビデオカメラ。
【請求項３】　前記プロセス回路から出力されるデジタルカメラ信号をアナログカメラ信号に変換するＤ／Ａ変換器を備え、
　前記デジタルＩＣは、該Ｄ／Ａ変換器も一体化されたデジタルＩＣであることを特徴とする請求項１又は２に記載のビデオカメラ。」
　
（３） 刊行物等
ア．刊行物１：特開平２−１９９９６７号公報（異議申立人有限会社オフィスアテナ（代表者　高木四郎）提示の甲第５号証、取消理由通知の刊行物１０）には以下の点が記載されている。
（ア）「本発明はビデオカメラなどの撮像装置の焦点を自動的に調節する自動焦点検出装置に関するものである。・・・（中略）・・・近年、生産設備等の自動化に伴い、検査・測定を目的とする画像認識装置の導入が進んでいる。これに伴いビデオカメラなどの撮像装置の高精度な焦点検出の手段が不可欠となってきている。」（１頁左下欄１８行ないし右下欄５行）
（イ）「画像認識装置においてはその大部分がディジタルのハードウェアにより構成されており、これに上記自動焦点検出装置を組み込むためには、アナログのハードウェアを別個に構成する必要がある。」（２頁右上欄１０行ないし１４行）
（ウ）「本発明の請求項１記載の発明による自動焦点検出装置は、電気信号の高周波成分の検出による合焦状態の評価を、ディジタル空間フィルタを通した信号の高周波成分の強度を検出して行うようにしたものである。」（２頁左下欄６行ないし１０行）
（エ）「本発明によれば、ディジタル空間フィルタを用いたことによりアナログ回路の不都合な点を解決できると共に、画像認識装置への自動焦点検出機能の組込みを容易に行うことができる。」（２頁左下欄１５行ないし１８行）
（オ）「第１図は本発明の第１実施例における自動焦点検出装置の構成を示すものである。第１図において、１０１はレンズ光学系、１０２は光を電気信号に変換する撮像素子、１０３は電気信号に重畳された水平・垂直信号を分離し、信号の強度の変化を直流信号に変換し、その直流アナログ信号をディジタル信号に変換するＡ／Ｄ変換器、１０４はＡ／Ｄ変換器の出力を画像イメージとして蓄えておくフレームメモリ、１０５はＡ／Ｄ変換器もしくはフレームメモリから出力される映像信号の特定の周波数帯域を選択通過させるディジタルフィルタ、１０６はディジタルフィルタからの出力のピークレベルを検出する周波数成分検出器、１０７は周波数成分検出器の出力をもとにレンズ光学系の移動方向や移動速度を制御する焦点評価判定部、１０８はレンズ光学系を光軸方向に駆動する光学系駆動部である。以上のように構成された自動焦点検出装置について、第１図を用いてその動作を説明する。まず、レンズ光学系１０１を通して撮像素子１０２上に被写体が結像され、撮像素子１０２上を走査して得られた電気信号がＡ／Ｄ変換器１０３により量子化される。そして、この信号をディジタルフィルタ１０５に入力する。ディジタルフィルタ１０５は２次元のディジタルフィルタリング処理をリアルタイムで行う機能を有し、予め特定の周波数成分のみを通過させるようなフィルタ係数が設定されている。ディジタルフィルタ１０５を通過した周波数成分の最大レベルを周波数成分検出器１０６によって検出する。」（２頁右下欄６行ないし３頁左上欄１５行、第１図）
（カ）「周波数成分検出器１０６によって検出された成分の最大レベル値を記憶しておき、次に光学系駆動部１０８によりレンズ光学系１０１をいずれかの方向に移動した後、再び成分の最大レベル値を検出して焦点評価判定部１０７で比較し、もし前回検出されたレベルより小さければレンズ光学系１０１を前回とは逆の方向に移動、大きければ前回と同一方向に移動するという処理を繰り返し、最大レベル値が得られたところを合焦位置とし、処理を終了する。」（３頁右上欄１０行ないし１９行）
（キ）「例えばＡ／Ｄ変換後の画像データが８ｂｉｔであれば、２０６の処理結果はレベル０〜２５５に対する度数分布として表現される。」（３頁右下欄１１行ないし１５行）
（ク）「本発明の請求項１記載の発明によれば、フィルタ特性変更が困難である等のアナログハードウェアの不都合な点を解決できると共に、主にディジタルハードウェアで構成される画像認識装置への自動焦点検出機能の組込みを容易に行うことができる。」（３頁左上欄１５行ないし２０行）
　
イ．刊行物２：特開昭６３−３０５６８３号公報（異議申立人有限会社オフィスアテナ（代表者　高木四郎）提示の甲第４号証、取消理由通知の刊行物９）には以下の点が記載されている。
（ア）「次にカメラの基本構成を第１図に示す。・・・（中略）・・・撮像に際し、焦点調節、シャッタ速度、絞り１０１を調節後、レリーズ１１１を押すことによりシャッタ１０２が開き、ＣＣＤ１０３等の固体撮像素子にレンズ１００を介して光が入射される。この時絞り１０１，シャッタ１０２の開閉はシャッタ制御回路１０５により制御される。又同時にシャッタ制御回路１０５は駆動回路１０８を立ち上げ、所定時間露光後、シャッタ１０２を閉じ、駆動回路１０８により、ＣＣＤ１０３で光電変換された信号を読み出す。この信号はＡ／Ｄ変換器１０４により入力光に応じたディジタル値に変換され、このディジタル信号をディジタル信号処理回路により信号処理されメモリカード１１０に記憶できるデータとする。」（２頁右下欄９行ないし３頁左上欄５行、第１図）
（イ）「Ａ／Ｄ変換は８〜１２ビット精度が望ましい。」（３頁左下欄３行ないし４行）
　
ウ．刊行物３：特開平１−２５３３８３号公報（異議申立人有限会社オフィスアテナ（代表者　高木四郎）提示の甲第３号証、取消理由通知の刊行物８）には以下の点が記載されている。
（ア）「本発明はディジタルビデオカメラの信号処理に関するものである。」（１頁左下欄２０行ないし右下欄１行）
（イ）「本発明の一実施例を第１図（ａ）に示す。ＣＣＤ２１の出力信号は・・・（中略）・・・ＡＤコンバータ２５によりディジタル信号に変換される。ディジタル化された映像信号は、積算器３１により１Ｖ期間以上の単位で積算され、その出力はレベル調整３２及び第２レベル検出３６に入力される。・・・（中略）・・・エンコーダ３０の乗算器には色信号を抑圧する係数が設定されて、色信号に演算が施こされる。」（３頁左上欄１４行ないし右上欄２０行、第１図（ａ））
（ウ）「以上のようにして決められたエンコーダ３０の係数は、ＡＤコンバータ２５の出力をホワイトバランス２６，ＬＰＦ２７，１Ｈ遅延線２８，色変換ＲＯＭ２９により信号処理されたＲ−Ｙ、Ｂ−Ｙの同時化信号とそれぞれ乗算されＮＴＳＣ信号に変換される。」（３頁左下欄１９行ないし右下欄４行）
　
エ．刊行物４：特開平１−２３６７７９号公報（異議申立人佐藤光男提示の甲第１号証、取消理由通知の刊行物１３）には以下の点が記載されている。
（ア）「本発明はビデオカメラ等の撮像装置に関するものである。」（１頁右下欄１４行ないし１５行）
（イ）「第７図はこの従来例の撮像装置のブロック図を示すものである。同図において７０１はレンズ、７０２は絞り回路、７０３は撮像素子、７０４は撮像素子７０３からの信号を増幅して所定のレベルの撮像信号を得るための利得回路、７０５は撮像信号をディジタル信号に交換するアナログ−ディジタル（Ａ／Ｄ）交換回路、７０６はガンマ補正等を行う信号処理回路、７０７は信号検出回路、・・・（中略）・・・７１１は上記の回路を総合的に制御するシステム制御回路である。」（２頁左上欄３行ないし１５行、第７図）
　
オ．刊行物５：特開昭６２−１４６０８１号公報（異議申立人有限会社オフィスアテナ（代表者　高木四郎）提示の甲第１号証、取消理由通知の刊行物６）には以下の点が記載されている。
（ア）「最近、ＩＣ技術が進んで大規模のものでも１チップになる」（２頁右下欄１１行ないし１２行）
（イ）「第１図は本発明の第１の実施例における自動焦点整合装置のブロック図を示すものである。第１図において、１３は高周波成分検出回路７で得た高周波成分の振幅を垂直走査周期毎に直流信号に変換する検波回路、１４は検波回路１３の出力を垂直走査周期毎にデジタル信号に変換するＡ／Ｄ変換器、１５は前記デジタル信号より基準信号周波数成分を検出する基準周波数成分検出回路、１６は前記基準周波数成分検出回路の出力信号をアナログ信号に変換するＤ／Ａ変換器である。」（３頁左上欄１５行ないし右上欄４行）
（ウ）「さて、前述したように近年ＩＣ技術の進歩、とくにデジタル関係はめざましいものがある。従って、Ａ／Ｄ変換器１４，基準周波数成分検出回路１５，Ｄ／Ａ変換器１６は簡単に１チップのＩＣにすることが出来る。しかも、デジタル回路は１度設計・製作するとバラツキや経年・温度変化がなく安定に動作する。」（３頁右上欄１９行ないし左下欄５行）
　
（４） 本件発明１と刊行物１記載の発明との対比・判断
　本件発明１と刊行物１記載の発明を対比すると、
ア．刊行物１記載のものの「レンズ光学系」「撮像素子」「Ａ／Ｄ変換器」「ビデオカメラ」が、本件発明１の「レンズ」「レンズにより結像された光学像を電気信号に変換する撮像素子」「撮像素子から出力されたアナログ信号をデジタル信号に変換するＡ／Ｄ変換器」「ビデオカメラ」にそれぞれ相当することは、上記３（３）ア（ア）、（オ）の記載から明らかである。
　また、刊行物１の「Ａ／Ｄ変換器」によるＡ／Ｄ変換後の画像データが、例えば８ｂｉｔであることが記載されている（３（３）ア（キ）参照）。
　そして、刊行物１記載のもののディジタルフィルタ１０５はＡ／Ｄ変換器もしくはフレームメモリから出力される映像信号の特定の周波数帯域を選択通過させるものである（３（３）ア（オ）参照）から、刊行物１記載のものの「フレームメモリ」は、Ａ／Ｄ変換器によりデジタル化された映像信号を入力し記憶しているものといえるので、プロセス回路とはいえないものの映像を取り扱うものであり映像についての回路といえる。
　一方、本件明細書に「自動焦点合わせ用のデジタル信号とカメラ信号プロセス用の信号のデジタル信号を得るために、撮像素子から得られた映像信号を一個のＡ／Ｄ変換器で共通にアナログ−デジタル信号変換し」（段落【０００４】）、「出力された微弱映像信号は、前処理回路３のＣＤＳ信号処理により撮像素子固有の雑音が軽減され、かつ適値に増幅して出力される。前処理回路３の出力映像信号はＡ／Ｄ変換器５で、デジタル信号に変換され、デジタルカメラ信号処理部４と、デジタル自動焦点合わせ信号処理部８にそれぞれ入力される。」（段落【０００６】）と記載されており、本件発明１も、映像信号がＡ／Ｄ変換器で処理されてデジタル信号となりプロセス回路で取り扱われるから、このプロセス回路はやはり映像についての回路といえる。
　さらに、刊行物１記載の発明は、Ａ／Ｄ変換器の出力を「ディジタルフィルタ」に入力し、特定の周波数帯域を選択通過させる「ディジタルフィルタ」を通過した高周波数成分の最大レベルを「周波数成分検出器」によって検出し、移動前後の最大レベルを「焦点評価判定部」で比較して焦点制御をおこなうものである（３（３）ア（ウ）、（オ）、（カ）参照）。
　そして、刊行物１の「ディジタルフィルタ」「周波数成分検出器」「焦点評価判定部」は、焦点の合い具合に対応する焦点信号を生成しているといえるから、刊行物１記載の発明は、本件発明１の「該デジタル信号からその高周波成分を検出し、焦点の合い具合に対応する焦点信号を生成する焦点信号生成回路」を備えている点で一致する。
　また、刊行物１の「Ａ／Ｄ変換器」は撮像素子の後段に位置し、その出力は、前記映像についての回路（フレームメモリ）と焦点信号生成回路（の一部であるディジタルフィルタ）の入力となっている（３（３）ア（オ）、（カ）、第１図参照）から、刊行物１記載の発明は「前記映像についての回路と前記焦点信号生成回路に入力される前記デジタル信号は、前記撮像素子の後段に共通に設けられた前記Ａ／Ｄ変換器から供給され」に一致する構成を有している。
イ．したがって、本件発明１と刊行物１記載の発明は「レンズと、該レンズにより結像された光学像を電気信号に変換する撮像素子と、該撮像素子から出力されたアナログ信号をデジタル信号に変換するＡ／Ｄ変換器と、映像についての回路と、該デジタル信号からその高周波成分を検出し、焦点の合い具合に対応する焦点信号を生成する焦点信号生成回路とを備え、前記映像についての回路と前記焦点信号生成回路に入力される前記デジタル信号は、前記撮像素子の後段に共通に設けられた前記Ａ／Ｄ変換器から供給されることを特徴とするビデオカメラ。」である点で一致し、次の点で一応相違しているものと認められる。
（ａ）Ａ／Ｄ変換器について、本件発明１が、「９ビット以上の量子化分解能の」ものであるのに対し、刊行物１記載の発明は、例えば８ｂｉｔ（の量子化分解能）である点
（ｂ）Ａ／Ｄ変換器から供給するデジタル信号の出力先の一つでもある「映像についての回路」について、本件発明１が、「該デジタル信号に処理を加えてデジタルカメラ信号を生成するプロセス回路」であるのに対し、刊行物１記載の発明は、「フレームメモリ」であり、プロセス回路があるか明確ではない点
（ｃ）焦点信号生成について、本件発明１が、「検出された該高周波成分を検波して」行うものであるのに対し、刊行物１記載の発明では、特定の周波数帯域を選択通過させるディジタルフィルタを通過した高周波数成分の最大レベルを検出して行うものである点
（ｄ）本件発明１が、「前記プロセス回路と前記焦点信号生成回路は一体化したデジタルＩＣで構成される」のに対し、刊行物１記載の発明は「フレームメモリ」「焦点信号生成回路」のうち、Ａ／Ｄ変換器の出力を入力する「フレームメモリ」「ディジタルフィルタ」がディジタルＩＣであることは技術常識に照らせば明らかであるものの、「周波数成分検出器」「焦点評価判定部」についてはデジタル回路であるか明確でなく、また、これらが一体化しているものではない点
ウ．以下相違点につき検討する。
（ア）相違点（ａ）について
　刊行物１には、Ａ／Ｄ変換後の映像信号（画像データ）が８ｂｉｔの場合の自動焦点検出装置の構成が示されており、８ｂｉｔの量子化分解能（精度）でも自動焦点検出およびそれによる自動焦点制御が可能であることが示唆されているといえる。
　一方、刊行物２には、電子カメラにおいて、ＣＣＤ１０３等の固体撮像素子にレンズ１００を介して光が入射され、ＣＣＤ１０３で光電変換された信号はＡ／Ｄ変換器１０４により入力光に応じたディジタル値に変換され、このディジタル信号をディジタル信号処理をおこなうものであって、前記Ａ／Ｄ変換は８〜１２ビット精度が望ましい点が記載されている（３（３）イ（ア）、（イ）参照）。
　そして、本件明細書には、「Ａ／Ｄ変換器は８ビット〜９ビット以上の分解能（精度）を有するものを設置する。それによって焦点の合い具合に対応した量の焦点電圧が精度良く検出できると同時にカメラ信号プロセス回路において映像信号は前記量子化に伴うＳ／Ｎの劣化なども問題なく信号プロセス処理できる。」（段落【０００５】）、「前記したように、８ビット〜９ビット以上の量子化分解能を有するものを設置することによって、焦点合わせ性能、及びカメラ映像性能のいずれも良好な性能を得ることができる。」（段落【０００７】）と記載されているにとどまるものである。
　してみると、映像処理、焦点制御処理のいずれも、より多いｂｉｔ数でより良好な性能（精度）を得るという程度であり、一方、９ｂｉｔ以上で映像処理を行う点も、８ｂｉｔで焦点制御を行う点も刊行物に記載あるいは示唆されているのであるから、９ｂｉｔ以上の量子化分解能とすることに、技術常識としての通常の精度向上（８ｂｉｔに対して）以上の、予測を超えた格別の作用効果があるということができない。
　したがって、この相違点は、精度をどの程度とするかという単なる設計的事項というほかなく、適宜採用する程度のものでしかない。
（イ）相違点（ｂ）について
　刊行物１のものは、主にディジタルハードウェアで構成される画像認識装置のビデオカメラであるところ、ビデオカメラにおいて、周知の（ディジタル）プロセス回路を有することは普通の構成にすぎない（例えば、上記刊行物３（特開平１−２５３３８３号公報、３（３）ウ（ア）ないし（ウ）における、ホワイトバランス２６，色変換ＲＯＭ２９等がプロセス回路に相当する）、上記刊行物４（特開平１−２３６７７９号公報、３（３）エ（ア）、（イ）における、信号処理回路７０６がプロセス回路に相当する）の記載参照）。
　そして、刊行物１のものは、ディジタル空間フィルタを用いたことによりアナログ回路の不都合な点を解決し、主にディジタルハードウェアで構成される画像認識装置への自動焦点検出機能の組込みを容易に行うものである（３（３）ア（エ）、（ク）参照）ことからすれば、プロセス回路はディジタル回路であることが必要であるか、あるいは少なくともディジタル回路とすることが示唆されている。
　してみれば、プロセス回路への入力信号は、刊行物１のフレームメモリと同様および刊行物３，４のプロセス回路と同様に、Ａ／Ｄ変換器からの出力であることは当然の構成であり、刊行物１におけるＡ／Ｄ変換器の後段に上記周知のディジタルプロセス回路を有することは、当業者が容易に推考しえたものである。
（ウ）相違点（ｃ）について
　「検出された該高周波成分を検波」するということは、要するに高周波成分の強度（エンベロープ）を検出することと解されるところ、刊行物１記載の発明では、特定の周波数帯域を選択通過させるディジタルフィルタを通過した高周波数成分の最大レベルを検出しているものであり、やはりある高周波の帯域における出力の強度（の変化）を検出しているものであり、実質的に検波と同様の処理を行っているものである。
　また、その差異はあったとしても、検波すること自体は、例えば、刊行物５（特開昭６２−１４６０８１号公報）に記載（３（３）オ（イ）参照）されているように知られているものでもあり、格別なものではなく容易に推考しえたことである。
（エ）相違点（ｄ）について
　刊行物１のものは、ディジタル空間フィルタを用いたことによりアナログ回路の不都合な点を解決し、主にディジタルハードウェアで構成される画像認識装置への自動焦点検出機能の組込みを容易に行うものである（３（３）ア（エ）、（ク）参照）。してみると、この組込みのためには、「周波数成分検出器」「焦点評価判定部」もディジタル回路であることが必要であるか、あるいは少なくともディジタル回路とすることが示唆されているといえる。
　そして、例えば刊行物５（特開昭６２−１４６０８１号公報）の記載（３（３）オ（ア）、（ウ）参照）にもあるように、ディジタル回路およびディジタルＩＣ同士を適宜一体化することは、個々の実施態様に応じて適宜なし得るものであり、設計的事項にすぎない。
（オ）そして、これら相違点（ａ）ないし（ｄ）を総合的に検討しても当業者が容易に推考し得たものであり、また、上記相違点に基づく本願発明の効果に格別顕著なものは認められない。
　
（５）本件発明２と刊行物１記載の発明との対比・判断
　本件発明２は、本件発明１の「該デジタル信号からその高周波成分を検出し、検出された該高周波成分を検波して焦点の合い具合に対応する焦点信号を生成する焦点信号生成回路」を「焦点の合い具合に対応し、該レンズの移動に伴う増加減少が判定される焦点信号であって、該増加減少の判定結果に基づき該レンズを移動するための制御信号を発生するための該焦点信号を、該デジタル信号からその高周波成分を検出し、検出された該高周波成分を検波して生成する焦点信号生成回路」とするものであるから、「レンズの移動に伴う増加減少が判定される焦点信号であって、増加減少の判定結果に基づき該レンズを移動するための制御信号を発生する」点（以下、「付加点Ａ」という）を実質的に付加したものであり、さらに「Ａ／Ｄ変換器も一体化したデジタルＩＣである」もの（以下、「付加点Ｂ」という）である。
　一方、刊行物１のものは、焦点評価判定部が周波数成分検出器の出力をもとにレンズ光学系の移動方向や移動速度を制御するものであり（３（３）ア（オ）参照）、周波数成分検出器１０６によって検出された成分の最大レベル値を記憶しておき、次に光学系駆動部１０８によりレンズ光学系１０１をいずれかの方向に移動した後、再び成分の最大レベル値を検出して焦点評価判定部１０７で比較し、もし前回検出されたレベルより小さければレンズ光学系１０１を前回とは逆の方向に移動、大きければ前回と同一方向に移動するという処理を繰り返し、最大レベル値が得られたところを合焦位置とし、処理を終了するものである（３（３）ア（カ）参照）。
　してみれば、刊行物１のものも、レンズの移動に伴う検出結果の増加減少の信号に応じてレンズを移動させる信号を発生しているのであるから、上記付加点Ａは、刊行物１に実質的に記載されている。
　また、付加点Ｂは、上記（４）で考察したことを勘案すれば、設計的事項というべきものある。
　であるから、上記（４）の本件発明１についての考察を勘案すれば、本件発明２は刊行物１記載の発明から当業者が容易に推考し得たものであり、また、上記相違点に基づく本願発明の効果に格別顕著なものは認められない。
　
（６）本件発明３と刊行物１記載の発明との対比・判断
　本件発明３は、本件発明１又は本件発明２のいずれかに「前記プロセス回路から出力されるデジタルカメラ信号をアナログカメラ信号に変換するＤ／Ａ変換器を備え、前記デジタルＩＣは、該Ｄ／Ａ変換器も一体化されたデジタルＩＣである」点を付加したものであるところ、プロセス回路の後段の出力にアナログモニタ等を接続することは普通に行われることにすぎないからＤ／Ａ変換を行ってアナログカメラ信号とすることは適宜なし得る設計的事項にすぎないし、Ｄ／Ａ変換器は周知であって、上記３（４）、（５）における考察および例えば刊行物５（特開昭６２−１４６０８１号公報）の記載（３（３）オ（ア）、（ウ）参照）を勘案・参酌すれば、結局Ｄ／Ａ変換器も一体化されたデジタルＩＣとすることも、個々の実施態様に応じて適宜なし得るものであり、設計的事項というべきものである。
　したがって、本件発明１および２についての考察を勘案すれば、本件発明３は刊行物に記載された発明から当業者が容易に推考し得たものであり、また、上記相違点に基づく本願発明の効果に格別顕著なものは認められない。
　
（７）特許異議意見書における主張
　特許異議意見書においては、結局、以下の点が主張されているものと解される。
ア　レンズの移動にともなう焦点信号の増加減少の判定を精度良く出来るようにするために、ＡＤ変換器として、映像信号に一般に要求される量子化ビット（８ビット）よりも高い９ビット以上の量子化分解能を有するＡＤ変換器を用いており、もって、良好な焦点合わせ性能を得られるようにした点で、本件発明は刊行物記載の発明と相違する（特許異議意見書３頁）。
イ　刊行物１（取消理由通知の刊行物１０）に記載の発明は、Ａ／Ｄ変換器１０３から出力されるデジタル信号は画像イメージであって、この画像イメージは撮像素子１０２から出力される電気信号を処理して得られたものであり、通常のビデオカメラと対応させると、映像信号に相当するものであり、撮像素子１０２から出力された電気信号ではなく、これが処理されて得られる映像信号がＡ／Ｄ変換器１０３でディジタル信号に変換されてディジタルフィルタ１０５以下の自動焦点検出装置に供給されるものである点で、本件発明と相違する（特許異議意見書１２頁）。
　しかしながら、主張アについては、３（４）ウで言及した本件明細書の記載を参酌しても、上記の点が記載されているわけではないとともに、一方で、カメラ映像性能も良好な性能を得ることが記載されており、両者のビット数に相違があるということも示唆されているわけではないのであるから、上記主張は明細書の記載に基づかない主張である。
　また、主張イについては、３（４）アで言及したように、本件発明も映像信号がＡ／Ｄ変換器で処理されるものであるから、この点で相違するとした上記主張は明細書の記載に基づかない主張である。
　したがって、これらの主張を採用することができない。
　
（８）むすび
　以上のとおりであるから、本件発明１ないし３は、いずれも刊行物に記載された発明に基いて当業者が容易に発明をすることができたものであるので、特許法第２９条第２項の規定により特許を受けることができない。
　よって、結論のとおり決定する。
【異議決定日】
平成１５年９月２９日（２００３．９．２９）
【訂正の要旨】
審決（決定）の【理由】欄参照。
（５４）【発明の名称】
ビデオカメラ
（５７）【特許請求の範囲】
　【請求項１】　レンズと、
　該レンズにより結像された光学像を電気信号に変換する撮像素子と、
　該撮像素子から出力されたアナログ信号をデジタル信号に変換する
９ビット以上の量子化分解能の
　該デジタル信号に処理を加えてデジタルカメラ信号を生成するプロセス回路と、　該デジタル信号から
その高周波成分を検出し、検出された該高周波成分を検波して
　前記プロセス回路と前記焦点信号生成回路に入力される前記デジタル信号は、前記撮像素子の後段に共通に設けられた前記Ａ／Ｄ変換器から供給され、
　前記プロセス回路と前記焦点信号生成回路は一体化したデジタルＩＣで構成されることを特徴とするビデオカメラ。
　【請求項２】　
レンズと、
　
該レンズにより結像された光学像を電気信号に変換する撮像素子と、
　
該撮像素子から出力されたアナログ信号をデジタル信号に変換する９ビット以上の量子化分解能のＡ／Ｄ変換器と、
　
該デジタル信号に処理を加えてデジタルカメラ信号を生成するプロセス回路と、
　
焦点の合い具合に対応し、該レンズの移動に伴う増加減少が判定される焦点信号であって、該増加減少の判定結果に基づき該レンズを移動するための制御信号を発生するための該焦点信号を、該デジタル信号からその高周波成分を検出し、検出された該高周波成分を検波して生成する焦点信号生成回路とを備え、
　
前記プロセス回路と前記焦点信号生成回路に入力される前記デジタル信号は、前記撮像素子の後段に共通に設けられた前記Ａ／Ｄ変換器から供給され、
　
前記プロセス回路と前記焦点信号生成回路は一体化したデジタルＩＣで構成され、
るビ
　【請求項３】　前記プロセス回路から出力されるデジタルカメラ信号をアナログカメラ信号に変換するＤ／Ａ変換器を備え、
　前記デジタルＩＣは、該Ｄ／Ａ変換器も一体化されたデジタルＩＣであること特徴とする請求項１又は２に記載のビデオカメラ。
【発明の詳細な説明】
　【０００１】
　【産業上の利用分野】
　本発明はビデオカメラ等における、特に映像信号から焦点信号（電圧）を生成して焦点合わせする映像方式の自動焦点合わせ装置と所望のテレビジョン信号を生成する信号プロセス回路の、相互的回路構成に関する。
　【０００２】
　【従来の技術】
　映像信号の高周波成分が最大になるように光学焦点調節機構を制御する上記映像方式の自動焦点合わせ装置において、映像信号、もしくはその高周波成分をＡ／Ｄ（アナログ−デジタル）変換して、すなわちデジタル信号処理することによって、小型で且つ安定に動作するようにした従来の自動焦点合わせ装置は、特開昭６２−１４６０８１号公報、及び特開平１−１３７８８６号公報に記載されるようになっていた。
　前者は映像信号の高周波成分を、後者は映像信号を直接、それぞれＡ／Ｄ変換してデジタル信号処理したものである。図２は前者公知例と、図３は後者公知例とほぼ同じ動作をする自動焦点合わせ装置のブロック構成図を示すものである。
　図２において１はレンズ、２は撮像面に結像している被写体像を電気信号に変換する撮像素子であり、近年ＣＣＤと呼ばれる固体撮像素子を用いるのが一般である。３はＣＣＤ撮像素子が発生する固有の雑音を軽減するためのＣＤＳ（Ｃｏｒｅｌａｔｅｄ　Ｄｏｕｂｌｅ　Ｓａｍｐｌｉｎｇ）処理回路、及び微弱信号を増幅するための回路をふくむ前処理回路、６´は前処理回路の出力に種々の処理を加えテレビジョン信号にするプロセス回路、９´は撮像素子２よりえられた映像信号から高周波成分を検出する回路１４と、検出した高周波成分を検波する回路１５によってその出力に焦点の合い具合に対応した量の焦点信号を生成する焦点信号生成回路である。１３はアナログ信号をデジタル信号に変換するＡ／Ｄ変換器であり前記焦点信号をデジタル信号に変換する。
１０はマイクロコンピュータでありデジタル変換された焦点信号より焦点の合い具合を判定し、且つその判定結果より前記高周波成分が最大となるように、すなわち合焦するようにモータを駆動するための制御信号を発生しモータ駆動回路１１に供給する。１２はモータ駆動回路１１からの駆動電圧によって駆動され連結する焦点合わせ用レンズを移動するモータである。
　前記によりフィードバツクループが構成されモータ１２は合焦点で安定する。
　次に図３の引例の構成について説明する。図３において図２と同一符号を示すブロックはほぼ同一作用同一機能を有している。従って図２と異なるところはＡ／Ｄ変換器１３によって撮像素子２よりえられた映像信号を直接デジタル信号に変換し、従って前記した高周波成分検出回路、並びに検波回路等から構成される焦点電圧生成回路９がデジタル回路によって構成されている点であり図２より小型化ですぐれる。
　一方、所望のテレビジョン信号を生成するためのカメラ信号プロセス回路をデジタル化して小型高性能化を図った例が、テレビジョン学会技術報告，第１５巻，７号，２５頁〜３０頁（１９９１年１月）に記載されている。
　【０００３】
　【発明が解決しようとする課題】
　上記従来技術は、所望のテレビジョン信号を生成するためのカメラ信号プロセス回路と自動焦点合わせ用信号処理回路とを相互的に考慮して小型簡単化、高性能化する点について配慮がなされておらず、従ってコンパクトなカメラを実現するには不十分であった。本発明の目的は自動焦点合わせ用回路とカメラ信号プロセス回路を効果的に結合するように構成することによっ総合的に部品点数の少ない、且つ合理的なビデオカメラを提供することにある。
　【０００４】
　【課題を解決するための手段】
　上記目的は、自動焦点合わせ用のデジタル信号とカメラ信号プロセス用の信号のデジタル信号を得るために、撮像素子から得られた映像信号を一個のＡ／Ｄ変換器で共通にアナログ−デジタル信号変換し、且つ、自動焦点合わせ用信号処理回路とカメラ信号プロセス回路を一体構成し、１チップデジタルＩＣに内蔵することにより、達成できる。
　【０００５】
　【作用】
　映像信号を一個のＡ／Ｄ変換器でデジタル信号に変換し、且つしかる後焦点合わせ用信号処理回路とカメラ信号プロセス回路のいずれもデジタル回路で構成するようにしたのでそれぞれの回路のＬＳＩ化により周辺部品の少ない簡明で小型な回路構成が実現できる。更には回路間のインターフェースもデジタルデータで供給できるので、上記焦点合わせ用信号処理回路とカメラ信号プロセス回路を一体内蔵した１チップデジタルＬＳＩ化が簡単に実現でき一層小型な回路構成が実現できる。
　また、Ａ／Ｄ変換器は８ビット〜９ビット以上の分解能（精度）を有するものを設置する。それによって焦点の合い具合に対応した量の焦点電圧が精度良く検出できると同時にカメラ信号プロセス回路において映像信号は前記量子化に伴うＳ／Ｎの劣化なども問題なく信号プロセス処理できる。
　【０００６】
　【実施例】
　自動焦点合わせ用信号処理回路、並びにカメラ信号プロセス回路の構成の本発明による一実施例を図１を参照しながら説明する。
　１は撮像レンズ、２は撮像素子であり撮像レンズ１により結像された被写体像は、撮像素子２によって電気信号に変換され映像信号として出力される。出力された微弱映像信号は、前処理回路３のＣＤＳ信号処理により撮像素子固有の雑音が軽減され、かつ適値に増幅して出力される。前処理回路３の出力映像信号はＡ／Ｄ変換器５で、デジタル信号に変換され、デジタルカメラ信号処理部４と、デジタル自動焦点合わせ信号処理部８にそれぞれ入力される。６はプロセス回路であり入力された映像信号に種々の処理を加え所望のカメラ信号（輝度信号、色信号）にし、デジタル−アナログ（Ａ／Ｄ）変換器７で再びアナログ信号に変換されて出力する。
　一方、デジタル自動焦点合わせ信号処理部８に入力された前記映像信号から、焦点の合い具合に、すなわちレンズのボケの度合いに対応した量の信号（焦点電圧）が焦点電圧生成回路９で生成される。焦点電圧生成回路９は、映像信号から高周波（エッジ）成分を検出する回路、例えばデジタルフィルタ（ＢＰＦまたはＨＰＦ）と、検出された高周波成分を検波して直流化する回路によって構成される。こうして得られた焦点電圧は、合焦点で最大となりボケ（焦点のずれ）と共に減少する値となる。
　マイクロコンピュータ１０は、そのデジタル値が入力され焦点の合い具合を、例えば焦点電圧のレンズ移動にともなう増加減少を判定し、そしてその判定結果に基づき焦点電圧が増加するように、そして最大となるように、すなわち合焦するようにモータ１２を駆動するための制御信号を発生し、モータ駆動回路１１に供給する。１２は連結する焦点合わせようレンズを移動するモータでありモータ駆動回路１１から出力される駆動電圧によって駆動される。
　上記によりフィードバックループが構成されモータ１２は合焦点で安定するように動作する。
　以上説明したビデオカメラの信号処理回路の実施構成例で、プロセス回路６、及び焦点電圧生成回路９はそれぞれ、もしくは一体化してデジタルＬＳＩ化する。
　【０００７】
　また、Ａ／Ｄ変換器５、及びＡ／Ｄ変換器７も上記個々のＬＳＩに内蔵化して実現すれば、一層、簡単合理化される。
　また、プロセス回路６、及び焦点電圧生成回路９に、それぞれ共通にデジタル映像信号を供給するＡ／Ｄ変換器５は、前記したように、８ビット〜９ビット以上の量子化分解能を有するものを設置することによって、焦点合わせ性能、及びカメラ映像性能の、いずれも良好な性能を得ることができる。
　【０００８】
　【発明の効果】
　以上、本発明のように信号処理回路を構成すれば、焦点合わせ性能、カメラ映像性能、いずれも良好な性能を確保しつつ、回路構成を一層小型化でき、したがって小型コンパクトなビデオカメラを提供することができる。
【図面の簡単な説明】
　【図１】
　本発明の一実施例を示す、ビデオカメラの信号処理回路のブロック構成図である。
　【図２】
　第１の従来例における、ビデオカメラの信号処理回路のブロック構成図である。
　【図３】
　第２の従来例における、ビデオカメラの信号処理回路のブロック構成図である。
　【符号の説明】
　　１…撮像レンズ
　　２…撮像素子
　　３…映像信号前処理回路
　　４…デジタルカメラ映像信号処理回路部
　　５…Ａ／Ｄ変換器
　　６…プロセス回路
　　７…Ｄ／Ａ変換器
　　８…デジタル自動焦点合わせ信号処理回路部
　　９…焦点電圧生成回路
　１０…マイクロコンピュータ
　１１…モータ駆動回路
　１２…モータ